(57)【要約】【課題】携帯電話装置に記憶されたディジタル情報を、該携帯電話装置と接続した携帯プリンタ装置において一括印刷することによってバックアップを行い、該ディジタル情報を携帯電話装置以外の装置において活用したいという要求を満たす携帯電話装置及び携帯プリンタ装置を提供することを目的とする。【解決手段】携帯プリンタ装置へディジタル情報を一括送信する手段を有する携帯電話装置と、前記携帯電話装置から受信したディジタル情報を一括印刷する手段を有する携帯プリンタ装置。【選択図】        図１
2004193870.tif 000002
【特許請求の範囲】
【請求項１】
名前や電話番号やＥ−ｍａｉｌアドレス等の文字データを入力する入力手段と，
ディジタル情報を表示する表示手段と，
ディジタル情報を記憶する記憶手段と，
携帯プリンタ装置と有線または無線接続する接続手段と，
通信回線を介して該携帯プリンタ装置へディジタル情報を送信する送信手段を有する携帯電話装置。
【請求項２】
前記携帯電話装置と有線または無線接続する接続手段と，
該携帯電話装置から通信回線を介してディジタル情報を受信する受信手段と，該ディジタル情報を記録紙に視認可能に印刷するプリンタ手段を有する携帯プリンタ装置。
【請求項３】
前記携帯電話装置において，
前記記憶手段によって該携帯電話装置に記憶されるディジタル情報のうち，
前記送信手段によって通信回線を介して前記携帯プリンタ装置に送信し，前記携帯プリンタにおいて印刷された印刷済みディジタル情報に対して，
新規ディジタル情報であるか否かを示す，送信（印刷）フラグを付加する手段を有する請求項１に記載の携帯電話装置。
【請求項４】
前記携帯電話装置において，
前記記憶手段によって該携帯電話装置に記憶されるディジタル情報のうち，
編集が加えられた更新ディジタル情報に対して，
更新ディジタル情報であるか否かを示す，編集フラグを付加する手段を有する請求項１に記載の携帯電話装置。
【請求項５】
前記携帯電話装置において，
前記記憶手段によって該携帯電話装置に記憶されるディジタル情報のうち，
前記送信（印刷）フラグ付加手段によって付加された送信（印刷）フラグによって，新規ディジタル情報であるか否か判断する送信（印刷）済み判断手段を有する請求項１に記載の携帯電話装置。
【請求項６】
前記携帯電話装置において，
前記記憶手段によって該携帯電話装置に記憶されるディジタル情報のうち，
前記編集フラグ付加手段によって付加された編集フラグによって，更新ディジタル情報であるか否かを判断する編集済み判断手段を有する請求項１に記載の携帯電話装置。
【請求項７】
前記携帯電話装置において，
前記記憶手段によって該携帯電話装置に記憶されるディジタル情報のうち，
前記送信済み判断手段によって，送信（印刷）済みでない，つまり前記入力手段（Ｓ１０２）によって新たに入力されたと判断されるディジタル情報のみを，前記送信手段によって通信回線を介して携帯プリンタ装置に送信する手段を有する請求項１に記載の携帯電話装置。
【請求項８】
前記携帯電話装置において，
前記記憶手段によって該携帯電話装置に記憶されるディジタル情報のうち，
前記編集済み判断手段によって編集済みであると判断されるディジタル情報のみを，
前記送信手段によって通信回線を介して携帯プリンタ装置に送信する手段を有する請求項１に記載の携帯電話装置。
【請求項９】
前記携帯プリンタ装置において，
前記受信手段によって前記携帯電話装置から通信回線を介して受信したディジタル情報を，
該ディジタル情報の種類に応じて，ある特定のフォーマットのディジタル情報に変換するフォーマット化手段を有する請求項２に記載の携帯プリンタ装置。
【請求項１０】
前記携帯プリンタ装置において，
前記受信手段によって前記携帯電話装置から通信回線を介して受信したディジタル情報を，
前記フォーマット化手段によって，該ディジタル情報をフォーマット化する際に，
該ディジタル情報の種類に応じて特定フォーマットを一意に定めるための，
該ディジタル情報の種類と前記フォーマットの種類を一対一に対応させたフォーマットテーブルを有する請求項２に記載の携帯プリンタ装置。
【請求項１１】
前記携帯プリンタ装置において，
前記受信手段によって前記携帯電話装置から通信回線を介して受信したディジタル情報の種類に応じて，ある特定のフォーマットを一意に定めるために，
前記フォーマットテーブルによって一意にフォーマットを定めるフォーマット決定手段を有する請求項２に記載の携帯プリンタ装置。
【請求項１２】
前記携帯プリンタ装置において，
前記受信手段によって前記携帯電話装置から通信回線を介して受信したディジタル情報を，自動的に一括印刷する手段を有する請求項２に記載の携帯プリンタ装置。
【請求項１３】
前記携帯プリンタ装置において，
前記受信手段によって前記携帯電話から通信回線を介して受信したディジタル情報について，
前記送信（印刷）フラグ付加手段によって付加された送信（印刷）フラグによって，印刷済みディジタル情報であるか否かを判断する手段を有する請求項２に記載の携帯プリンタ装置。
【請求項１４】
前記携帯プリンタ装置において，
前記受信手段によって該携帯電話装置から通信回線を介して受信したディジタル情報のうち，
前記編集フラグ付加手段によって付加された編集フラグによって，更新ディジタル情報であるか否かを判断する手段を有する請求項２に記載の携帯プリンタ装置。
【請求項１５】
前記携帯プリンタ装置において，
前記受信手段によって前記携帯電話装置から通信回線を介して受信したディジタル情報のうち，
前記送信済み判断手段によって，送信（印刷）済みでない，つまり新規に入力されたと判断される新規ディジタル情報のみを一括送信する手段を有する請求項２に記載の携帯プリンタ装置。
【請求項１６】
前記携帯プリンタ装置において，
前記受信手段によって前記携帯電話装置から通信回線を介して受信したディジタル情報のうち，
前記編集済み判断手段によって，編集済みであると判断される更新ディジタル情報のみを，一括印刷する手段を有する請求項２に記載の携帯プリンタ装置。
【発明の詳細な説明】
【０００１】
【発明の属する技術分野】
本発明は，携帯電話装置及び携帯プリンタ装置に関するものである。
【０００２】
具体的には，名前や電話番号，Ｅ−ｍａｉｌアドレス等の文字データを入力する入力手段と，ディジタル情報を表示する表示手段と，該ディジタル情報を記憶する記憶手段と，携帯プリンタ装置と有線または無線接続する手段と，該携帯プリンタ装置へ通信回線を介してディジタル情報を送信する送信手段とを有する携帯電話装置，および，前記携帯電話装置と有線または無線接続する手段と，該携帯電話装置から通信回線を介してディジタル情報を受信する受信手段と，該ディジタル情報を記憶する記憶する手段と，前記ディジタル情報を記録紙に視認可能に印刷するプリンタ手段を有する携帯プリンタ装置に関するものである。
【０００３】
【従来の技術】
近年，携帯電話端末の普及がめざましく，その勢いには目を見張るものがある。
【０００４】
そんな中，携帯電話装置を紛失したり，携帯電話装置が壊れたりすることによって，携帯電話装置内に記憶されたディジタル情報を失ってしまうという問題を耳にする機会が多くなってきている。特に，名前や電話番号，Ｅ−ｍａｉｌアドレス等のような個人情報を失うことは，大きな損失につながる可能性があり，問題は深刻である。
【０００５】
一方，携帯電話装置に記憶されたディジタル情報を，携帯電話装置以外の装置において利用したいという話もよく耳にする。例えば，固定電話において，携帯電話装置に記憶された電話番号を利用したい，また，ＰＣやＰＤＡ等のメール機能を有する装置において，携帯電話装置に記憶されるＥ−ｍａｉｌを利用したい，といった欲求がその代表的なものである。
【０００６】
従来技術として，携帯電話装置に格納されたメモリのバックアップを行う携帯電話システムは存在する。
【０００７】
特開平２０００−２７０３７６号公報に記載の携帯電話装置において，サービスセンターから紛失電話機にダイヤリングし，携帯電話のメモリのバックアップ用のメモリにセーブし，バックアップ要求によりバックアップメモリをダウンロードする携帯電話システムは開示されている。
【０００８】
また，携帯電話の充電器によってバックアップを行う携帯電話システムは存在する。
【０００９】
特開平２０００−３１２１７８号公報に記載の携帯電話装置において，携帯電話の充電器にバックアップ機能があり，充電器に設けられたボタンにより，充電器内のメモリにバックアップを行う携帯電話装置及び携帯電話用充電器は開示されている。
【００１０】
【発明が解決しようとする課題】
しかしながら，上記の従来技術例では，携帯電話装置に記憶されたメモリのバックアップを行うだけに止まり，それらを他装置において簡単かつ有効に利用することが困難であるという問題点がある。
【００１１】
そこで，本発明は，携帯電話装置に記憶されたディジタル情報を，該携帯電話装置と有線または無線接続した携帯プリンタ装置において一括印刷出力することによってバックアップを行い，さらに該ディジタル情報を携帯電話装置以外の装置，例えば固定電話機などにおいて活用したいという要求を満たす，携帯電話装置及び携帯プリンタ装置を提供することを目的とする。
【００１２】
【課題を解決するための手段】
本発明の課題を解決するための手段は，名前や電話番号，Ｅ−Ｍａｉｌアドレス等の文字データを入力する入力手段と，携帯プリンタ装置と有線または無線接続する手段と，ディジタル情報を記憶する手段と，該ディジタル情報を表示する手段と，携帯プリンタ装置へ通信回線を介して該ディジタル情報を送信する送信手段を有する携帯電話装置において，前記記憶手段（Ｓ１０３）によって記憶されたディジタル情報を，前記接続手段（Ｓ１０４）によって有線または無線接続された携帯プリンタ装置に対して，前記送信手段（Ｓ１０５）によって一括送信する一括送信手段と，前記記憶手段（Ｓ１０３）によって記憶されたディジタル情報のうち，前記接続手段（Ｓ１０４）によって有線または無線接続された携帯プリンタ装置に対して，前記送信手段（Ｓ１０５）によって新規ディジタル情報であるか否かを示す送信（印刷）フラグを付加する送信（印刷）フラグ付加手段と，前記記憶手段（Ｓ１０３）によって記憶されたディジタル情報のうち，前記入力手段（Ｓ１０２）によって更新ディジタル情報であるか否かを示す編集フラグを付加する編集フラグ付加手段と，前記記憶手段（Ｓ１０３）によって記憶されたディジタル情報のうち，前記送信（印刷）フラグ付加手段（Ｓ１０６）によって付加された送信（印刷）フラグによって，前記接続手段（Ｓ１０４）によって有線または無線接続した前記携帯プリンタ装置に対して，新規ディジタル情報であるか否かを判断する送信（印刷）済み判断手段と，前記記憶手段（Ｓ１０３）によって記憶されたディジタル情報のうち，前記編集フラグ付加手段（Ｓ１０７）によって付加された編集フラグによって，更新ディジタル情報であるか否かを判断する編集済み判断手段と，前記記憶手段（Ｓ１０３）によって記憶されたディジタル情報のうち，前記送信（印刷）済み判断手段（Ｓ１０８）によって，送信（印刷）済みでない，つまり前記入力手段（Ｓ１０２）によって新規に入力されたと判断されるディジタル情報のみを，前記接続手段（Ｓ１０４）によって有線または無線接続した前記携帯プリンタ装置に対して，一括送信する新規ディジタル情報送信手段と，前記記憶手段（Ｓ１０３）によって記憶されたディジタル情報のうち，前記編集済み判断手段によって，編集済みであると判断される更新ディジタル情報のみを，前記接続手段（Ｓ１０４）によって有線または無線接続した前記携帯プリンタ装置に対して，一括送信する更新ディジタル情報送信手段と，前記携帯電話装置と有線または無線接続する手段と，前記携帯電話装置から通信回線を介してディジタル情報を受信する受信手段と，前記ディジタル情報を記録紙に視認可能に印刷するプリンタ手段を有する携帯プリンタ装置において，前記携帯電話装置から前記受信手段（Ｓ２０４）によって通信回線を介して受信したディジタル情報を，前記ディジタル情報の種別によって，ある特定のフォーマットに変換するディジタル情報フォーマット化手段と，前記携帯電話装置から前記受信手段（Ｓ２０４）によって通信回線を介して受信したディジタル情報を，前記ディジタル情報フォーマット化手段（Ｓ２０８）によってある特定のフォーマットに変換するために，前記ディジタル情報の種別とある特定のフォーマットの種類を一対一に対応させたフォーマットテーブルと，前記フォーマットテーブルを参照することによって，前記ディジタル情報がフォーマット変換対象ディジタル情報であるか否かを判断，かつ前記ディジタル情報の種別に対応したある特定のフォーマットの種別を一意に定めるフォーマット決定手段と，前記携帯電話装置から前記受信手段（Ｓ２０４）によって通信回線を介して受信した前記ディジタル情報について，前記送信（印刷）フラグを参照することによって，新規ディジタル情報であるか否かを判断する送信（印刷）済み判断手段と，前記携帯電話装置から前記受信手段（Ｓ２０４）によって通信回線を介して受信した前記ディジタル情報について，前記編集フラグを参照することによって更新ディジタル情報であるか否かを判断する編集済み判断手段と，前記携帯電話装置から前記受信手段（Ｓ２０４）によって通信回線を介して受信した前記ディジタル情報のうち，前記送信（印刷）済み判断手段（Ｓ２１１）によって，送信（印刷）済みでない，つまり前記入力手段（Ｓ１０２）によって新規に入力されたと判断されるディジタル情報のみを，一括印刷する新規ディジタル情報印刷手段と，前記携帯電話から前記受信手段（Ｓ２０４）によって通信回線を介して受信した前記ディジタル情報のうち，前記編集済み判断手段（Ｓ２１２）によって，編集済みであると判断されるディジタル情報のみを，一括印刷する更新ディジタル情報印刷手段である。
【００１３】
【発明の実施の形態】
本発明を図示の実施の形態に基づいて説明する。
【００１４】
図１〜図１７を用いて，本発明の実施の一形態に係る携帯電話装置及び携帯プリンタ装置について説明する。
【００１５】
図１は，本発明の実施の形態における，携帯電話装置の詳細な構成を示すブロック図である。
【００１６】
図１について，以下に説明する。
【００１７】
図１において，Ｓ１０１は，制御装置１，Ｓ１０２は，名前や電話番号，Ｅ−ｍａｉｌアドレス等の文字データを入力する入力手段Ｓ１０３は，ディジタル情報を記憶する記憶手段，Ｓ１０４は，前記携帯プリンタと有線または無線接続する接続手段，Ｓ１０５は，通信回線を介して前記携帯プリンタ装置へディジタル情報を一括送信する一括送信手段，Ｓ１０６は，新規ディジタル情報に対して，新規ディジタル情報であるか否かを示すフラグを付加する送信（印刷）フラグ付加手段，Ｓ１０７は，更新ディジタル情報に対して，更新ディジタル情報であるか否かを示すフラグを付加する編集フラグ付加手段，Ｓ１０８は，前記送信（印刷）フラグによって，新規ディジタル情報であるか否かを判断する送信（印刷）済み判断手段，Ｓ１０９は，前記編集フラグによって更新ディジタル情報であるか否かを判断する編集済み判断手段，Ｓ１１０は，前記送信（印刷）済み判断手段によって，送信（印刷）済みでない，つまり前記入力手段（Ｓ１０２）によって新規に入力されたと判断される新規ディジタル情報のみを一括送信する新規ディジタル情報送信手段，Ｓ１１１は，前記編集済み判断手段によって，編集済みであると判断される更新ディジタル情報のみを一括送信する更新ディジタル情報送信手段，Ｓ１１２は，電源スイッチ，Ｓ１１３は，送信（印刷）ボタン，本発明の範囲は，Ｓ１０５〜Ｓ１１１である。
【００１８】
図２は，本発明の実施の形態における，携帯プリンタ装置の詳細な構成を示すブロック図である。
【００１９】
図２について，以下に説明する。
【００２０】
図２において，Ｓ２０１は，制御装置２，Ｓ２０２は，ディジタル情報を記憶する記憶手段，Ｓ２０３は，携帯電話装置と有線または無線接続する接続手段，Ｓ２０４は，前記携帯電話装置から通信回線を介してディジタル情報を受信する受信手段，Ｓ２０５は，光電変換された信号を視認可能に記録媒体に出力する，つまり記録紙にプリントするプリント手段，Ｓ２０６は，前記プリント手段を制御するプリント制御手段，Ｓ２０７は，前記受信手段（Ｓ２０４）によって受信したディジタル情報を前記プリント手段（Ｓ２０５）及び前記プリント制御手段（Ｓ２０６）によって印刷する一括印刷手段，Ｓ２０８は，前記受信手段（Ｓ２０４）によって受信したディジタル情報を，前記ディジタル情報の種別に応じて，ある特定のフォーマットに変換するディジタル情報フォーマット化手段，Ｓ２０９は，前記ディジタル情報フォーマット化手段（Ｓ２０８）によってある特定のフォーマット化するために，前記ディジタル情報の種類とある特定のフォーマットの種類を一対一に対応させたフォーマットテーブル，Ｓ２１０は，前記フォーマットテーブル（Ｓ２０９）から，前記ディジタル情報の種類に応じた特定フォーマットを一意に定めるフォーマット決定手段，Ｓ２１１は，前記受信手段（Ｓ２０４）によって受信したディジタル情報について，新規ディジタル情報であるか否かを判断する送信（印刷）済み判断手段，Ｓ２１２は，前記受信手段（Ｓ２０４）によって受信したディジタル情報について，更新ディジタル情報であるか否かを判断する編集済み判断手段，Ｓ２１３は，前記送信（印刷）済み判断手段（Ｓ２１１）によって送信（印刷）済みでない，つまり前記入力手段（Ｓ１０２）によって新規に入力されたと判断されるディジタル情報のみを一括印刷する新規ディジタル情報印刷手段，Ｓ２１４は，前記編集済み判断手段（Ｓ２１２）によって編集済みであると判断されるディジタル情報のみを一括印刷する更新ディジタル情報印刷手段。
【００２１】
Ｓ２１５は，電源スイッチ，Ｓ２１６は，プリントボタン，本発明の範囲は，Ｓ２０７〜Ｓ２１４である。
【００２２】
（第１実施例）
本発明の第１実施例として，名前や電話番号，Ｅ−ｍａｉｌアドレス等の文字データを入力する入力手段と，携帯プリンタ装置と有線または無線接続する手段と，ディジタル情報を記憶する手段と，携帯プリンタ装置へ通信回線を介してディジタル情報を送信する送信手段と，該ディジタル情報を記憶する記憶手段とを有する携帯電話装置と，前記携帯電話装置と有線または無線接続する手段と，該携帯電話装置から通信回線を介してディジタル情報を受信する受信手段と，前記ディジタル情報を記録紙に視認可能に印刷するプリンタ手段を有する携帯プリンタ装置において，前記携帯電話装置と前記携帯プリンタ装置を有線または無線接続している間，前記携帯電話装置の記憶手段によって記憶される少なくとも一人分以上の，名前や電話番号，Ｅ−ｍａｉｌアドレス等のディジタル情報（ｃｆ．図６）を，前記携帯電話の一括送信手段（Ｓ１０５）によって通信回線を介して前記携帯プリンタ装置へ一括送信し，前記携帯プリンタ装置の受信手段（Ｓ２０４）によって受信した前記ディジタル情報を，前記携帯プリンタ装置のディジタル情報フォーマットテーブル（Ｓ２０９）と，前記携帯プリンタ装置のフォーマット決定手段（Ｓ２１０）によって，前記ディジタル情報の種類に応じた特定のフォーマットを決定し（ここではアドレス帳フォーマット（ｃｆ．図７）とする），前記携帯プリンタ装置のディジタル情報フォーマット化手段（Ｓ２０８）によって，前記ディジタル情報を前記フォーマット決定手段（Ｓ２１０）によって定められたアドレス帳フォーマットに変換し，前記携帯プリンタ装置の一括印刷手段（Ｓ２０７）によって前記フォーマット済みディジタル情報を一括印刷（ｃｆ．図８）する例を挙げる。
【００２３】
前記携帯電話装置は，Ｓ１０１〜Ｓ１０５，Ｓ１１２〜Ｓ１１４の内容を適用し，前記携帯プリンタ装置は，Ｓ２０１〜Ｓ２０６，Ｓ２０７〜Ｓ２１０，Ｓ２１５〜Ｓ２１６の内容を適用していることを特徴とする。
【００２４】
以下にその概要について，図面を用いて説明する。
【００２５】
図３は，本発明を適用した第１実施例を実施する形態を示す構成図である。
【００２６】
図３について，以下に説明する。
【００２７】
Ｓ３０１は，本発明を適用した携帯電話装置を示す。
【００２８】
Ｓ３０２は，本発明を適用した携帯プリンタ装置を示す。
【００２９】
Ｓ３０３は，前記携帯電話（Ｓ３０１）と前記携帯プリンタ（Ｓ３０２）を，有線または無線接続している様子を示す。
【００３０】
図６は，前記携帯電話装置において，前記携帯電話装置の記憶手段によって記憶されている，少なくとも一人分以上の名前や電話番号，Ｅ−ｍａｉｌアドレス等のディジタル情報を表示している様子を示す。
【００３１】
図６について，以下に説明する。
【００３２】
Ｓ６０１は，本発明を適用した携帯電話装置を示す。
【００３３】
Ｓ６０２は，ディジタル情報を表示する表示画面を示す。
【００３４】
Ｓ６０３は，Ｓ６０２の表示画面を拡大した様子を示す。
【００３５】
Ｓ６０４は，ディジタル情報の一例である，「名前」を表示している様子を示す。
【００３６】
Ｓ６０５は，ディジタル情報の一例である，「電話番号」を表示している様子を示す。
【００３７】
Ｓ６０６は，ディジタル情報の一例である，「Ｅ−ｍａｉｌアドレス」を表示している様子を示す。
【００３８】
Ｓ６０７は，少なくとも一人分以上の名前，電話番号及びＥ−ｍａｉｌアドレス情報（Ｓ６０４−Ｓ６０６）を記憶していることを示す。
【００３９】
図７は，前記携帯プリンタ装置において，前記携帯電話装置から前記受信手段によって受信した前記名前や電話番号，Ｅ−ｍａｉｌアドレス等のディジタル情報を，ごく一般的なアドレス帳に見られるようなアドレス帳フォーマットに変換し，一括印刷した様子を示す。
【００４０】
Ｓ７０１は，本発明を適用した携帯プリンタ装置において排出された記録紙を示す。
【００４１】
Ｓ７０２は，前記携帯電話装置より受信した少なくとも一人分以上のディジタル情報を，アドレス帳フォーマットに変換し，変換済みディジタル情報を一括印刷した様子を示す。
【００４２】
Ｓ７０３は，少なくとも一人分以上の「名前」，「電話番号」，「Ｅ−ｍａｉｌアドレス」を一括印刷している様子を示す。
【００４３】
図４は，前記携帯電話装置において，該携帯電話装置が前記携帯プリンタ装置と前記接続手段によって有線または無線接続している間，前記記憶手段によって記憶した，少なくとも一人分以上の名前や電話番号，Ｅ−ｍａｉｌアドレス等のディジタル情報を，前記一括送信手段によって，前記携帯プリンタ装置に送信する際の，詳細アルゴリズムである。
【００４４】
図４について，以下に説明する。
【００４５】
図４において，ステップ＃１は，本アルゴリズムのスタート地点である。
【００４６】
ステップ＃２では，前記携帯電話装置の電源ＳＷ（Ｓ１１２）がＯＮであるか否かを検知する。「はい」であればステップ＃３へ，「いいえ」であればそのまま待機する。
【００４７】
ステップ＃３では，表示手段（Ｓ１１４）によってメニュー画面を表示する。
【００４８】
ステップ＃４では，印刷メニューが選択されたか否かを検知する。「はい」であればステップ＃５へ，「いいえ」であればステップ＃１２へ進む。
【００４９】
ステップ＃１２では，その他のメニュー操作を行う。
【００５０】
ステップ＃５では，印刷（送信）指定可能なディジタル情報種類の一覧を表示する。
【００５１】
ステップ＃６では，ステップ＃５において表示された印刷設定可能なディジタル情報種類の一覧より，特定のディジタル情報（ここでは「名前」，「電話番号」，「Ｅ−ｍａｉｌアドレス」等から成るディジタル情報）が選択されたか否かを検知する。「はい」であればステップ＃７へ，「いいえ」であればステップ＃８へ進む。
【００５２】
ステップ＃７では，ステップ＃６において選択されたディジタル情報を印刷対象ディジタル情報として記憶する。
【００５３】
ステップ＃８では，印刷をキャンセルするキャンセルが選択されたか否かを検知する。「はい」であればステップ＃１１へ，「いいえ」であればステップ＃６へ進む。
【００５４】
ステップ＃９では，送信（印刷）ボタン（Ｓ１１３）が押下られたか否かを検知する。「はい」であればステップ＃１０へ，「いいえ」であればステップ＃６へ進む。
【００５５】
ステップ＃１０では，ステップ＃７で記憶された印刷対象ディジタル情報を，前記接続手段（Ｓ１０４）によって有線または無線接続された前記携帯プリンタ装置（Ｓ３０２）に対して，前記一括送信手段（Ｓ１０５）によって一括送信（印刷）する。
【００５６】
ステップ＃１１では，前記携帯電話の電源ＳＷ（Ｓ１１２）がＯＦＦであるか否かを検知する。「はい」であればステップ＃１３へ，「いいえ」であればステップ＃２へ進む。
【００５７】
ステップ＃１３は，本アルゴリズムの終点である。
【００５８】
図５は，前記携帯プリンタ装置において，前記接続手段によって前記携帯電話と有線または無線接続している間，前記受信手段によって受信した少なくとも一人分以上の名前や電話番号，Ｅ−ｍａｉｌアドレス等のディジタル情報を，前記フォーマットテーブル及び前記フォーマット決定手段及び前記フォーマット化手段によって，アドレス帳フォーマットに変換し，前記一括印刷手段によって一括印刷する際の，詳細アルゴリズムである。
【００５９】
図５について，以下に説明する。
【００６０】
図５において，ステップ＃１は，本アルゴリズムのスタート地点である。
【００６１】
ステップ＃２では，前記プリンタの電源ＳＷ（Ｓ２１５）がＯＮであるか否かを検知する。「はい」であればステップ＃へ，「いいえ」であればそのまま待機する。
【００６２】
ステップ＃３では，前記接続手段（Ｓ２０３）によって有線または無線接続された前記携帯電話装置より，前記送受信手段（Ｓ２０４）によってディジタル情報を受信したか否かを検知する。「はい」であればステップ＃４へ，「いいえ」であればそのまま待機する。
【００６３】
ステップ＃４では，ステップ＃３において受信したディジタル情報を前記記憶手段（Ｓ２０３）によって記憶する。
【００６４】
ステップ＃５では，前記フォーマット決定手段（Ｓ２１０）によって，ステップ＃４において記憶されるディジタル情報の種類に対応したフォーマットが，前記フォーマットテーブル（Ｓ２０９）に含まれるか否かを判断する。「はい」であればステップ＃６へ，「いいえ」であれば，ステップ＃９進む。
【００６５】
ステップ＃６では，前記ディジタル情報フォーマット決定手段（Ｓ２１０）によって，ステップ＃４において記憶されるディジタル情報に対応したある特定のフォーマット（ここではアドレス帳フォーマットとする）を決定する。
【００６６】
ステップ＃７では，ステップ＃４において記憶された前記ディジタル情報を，前記ディジタル情報フォーマット化手段（Ｓ２１０）よって，ステップ＃６において決定されたある特定のフォーマットに変換する（ｃｆ．図７）。
【００６７】
ステップ＃８では，ステップ＃７において変換されたフォーマット済みディジタル情報を前記記憶手段（Ｓ２０２）によって記憶する。
【００６８】
ステップ＃９では，プリント制御手段（Ｓ２０６）を介してプリント手段（Ｓ２０５）を駆動し，予備吐出，目詰まり解消，ノズルの回復等を行う。
【００６９】
ステップ＃１０では，ステップ＃４において前記記憶手段によって記憶されたディジタル情報，またはフォーマット済みディジタル情報を，前記一括印刷手段（Ｓ２０７）によって一括印刷する。
【００７０】
ステップ＃１１では，印刷済み記録紙が記録紙排出口より排出される。
【００７１】
ステップ＃１２は，本アルゴリズムの終点である。
【００７２】
（第２実施例）
本発明の第２実施例として，名前や電話番号，Ｅ−ｍａｉｌアドレス等の文字データを入力する入力手段と，携帯プリンタ装置と有線または無線接続する手段と，ディジタル情報を記憶する手段と，携帯プリンタ装置へ通信回線を介してディジタル情報を送信する送信手段と，該ディジタル情報を記憶する記憶手段とを有する携帯電話装置と，前記携帯電話装置と有線または無線接続する手段と，該携帯電話装置から通信回線を介してディジタル情報を受信する受信手段と，前記ディジタル情報を記録紙に視認可能に印刷するプリンタ手段を有する携帯プリンタ装置において，前記携帯電話装置の接続手段（Ｓ１０４）によって前記携帯プリンタ装置（Ｓ３０２）と有線または無線接続している間，前記携帯電話装置の記憶手段（Ｓ１０３）によって記憶されるディジタル情報のうち，前記携帯プリンタ装置に送信（印刷）済みでない，つまり新規に入力された少なくとも一人分以上の，名前や電話番号，Ｅ−ｍａｉｌアドレス等のディジタル情報（ｃｆ．図８）に対して，前記携帯電話装置の送信（印刷）フラグ付加手段（Ｓ１０６）によって，新規ディジタル情報であるか否かを示す送信（印刷）フラグを付加し，前記携帯電話装置の記憶手段（Ｓ１０３）によって記憶される前記ディジタル情報を，前記携帯電話装置の送信手段（Ｓ１０５）によって前記携帯プリンタ装置（Ｓ３０２）へ一括送信し，前記携帯プリンタ装置の受信手段（Ｓ２０４）によって受信した前記ディジタル情報のうち，前記携帯プリンタ装置の送信（印刷）済み判断手段（Ｓ２１１）によって，送信（印刷）フラグが付加されていない，つまり送信（印刷）済みでないディジタル情報のみを，前記携帯プリンタ装置の記憶手段（Ｓ２０２）によって記憶し，前記携帯プリンタ装置のフォーマットテーブル（Ｓ２０９）及びフォーマット決定手段（Ｓ２１０）によって前記ディジタル情報の種別に応じた特定のフォーマットを決定し，前記携帯プリンタ装置のディジタル情報フォーマット化手段（Ｓ２０８）によって，送信（印刷）済みでないディジタル情報のみを，前記フォーマット決定手段によって定まったアドレス帳フォーマットに変換し（ｃｆ．図９），前記携帯プリンタ装置の新規ディジタル情報印刷手段（Ｓ２１３）によって，送信（印刷）済みでない，つまり新規に入力されたと判断される新規ディジタル情報または，新規かつフォーマット済みディジタル情報を一括印刷する例を挙げる。
【００７３】
前記携帯電話装置は，Ｓ１０１〜Ｓ１０６，Ｓ１０８，Ｓ１１２〜Ｓ１１４の内容を適用し，前記携帯プリンタ装置は，Ｓ２０１〜Ｓ２０６，Ｓ２０８〜Ｓ２１１，Ｓ２１３，Ｓ２１５〜Ｓ２１６の内容を適用していることを特徴とする。以下にその概要について，図面を用いて説明する。
【００７４】
本発明を適用した第２実施例を実施する形態を示す構成図は，第１実施例に示した図３と同様である。
【００７５】
図８は，前記携帯電話装置において，前記記憶手段によって記憶された少なくとも一人分以上の名前や電話番号，Ｅ−ｍａｉｌアドレス等のディジタル情報に，前記入力手段によって新規ディジタル情報が入力された様子を示す。ただし，予め前記記憶手段によって記憶されているディジタル情報は，実施例１に示した手段によって送信（印刷）済みであるものとする。
【００７６】
図８について，以下に説明する。
【００７７】
Ｓ８０１は，本発明を適用した携帯電話装置を示す。
【００７８】
Ｓ８０２は，ディジタル情報を表示する表示画面を示す。
【００７９】
Ｓ８０３は，表示画面（Ｓ８０２）を拡大した様子を示す。
【００８０】
Ｓ８０４は，前記携帯電話装置（Ｓ８０１）に記憶されるディジタル情報の一例である，「名前」を表示している様子を示す。
【００８１】
Ｓ８０５は，前記携帯電話装置（Ｓ８０１）に記憶されるディジタル情報の一例である，「電話番号」を表示している様子を示す。
【００８２】
Ｓ８０６は，前記携帯電話装置（Ｓ３０１）に記憶されるディジタル情報の一例である，「Ｅ−ｍａｉｌアドレス」を表示している様子を示す。
【００８３】
Ｓ８０７は，少なくとも一人分以上の名前，電話番号及びＥ−ｍａｉｌアドレス情報（Ｓ８０４−Ｓ８０６を記憶していることを示す。
【００８４】
Ｓ８０８は，前記携帯電話装置（Ｓ３０１）に記憶される，前記ディジタル情報を表示している様子を示す。ただし，前記ディジタル情報は，すでに前記携帯プリンタ装置へ送信，かつ前記携帯プリンタ装置において印刷済みであるものとする。
【００８５】
Ｓ８０９は，前記携帯電話装置に，送信（印刷）済みでないディジタル情報，つまり新規ディジタル情報が入力された様子を示す。
【００８６】
Ｓ８１０は，前記ディジタル情報が送信（印刷）済みディジタル情報，つまり新規ディジタル情報であることを示すマークを表示している様子を示す（このとき，前記新規ディジタル情報には，送信（印刷）済みを示す送信（印刷）フラグは付加されていないものとする。）。
【００８７】
図９は，前記携帯プリンタ装置において，前記携帯電話装置が前記携帯プリンタ装置と前記接続手段によって有線または無線接続している間，前記携帯電話装置から受信した前記名前や電話番号，Ｅ−ｍａｉｌアドレス等のディジタル情報のうち，新規ディジタル情報のみを，一般的なアドレス帳に見られるようなアドレス帳フォーマットに変換し，一括印刷した様子を示す。
【００８８】
Ｓ９０１は，本発明を適用した携帯プリンタ装置において排出された記録紙を示すＳ９０２は，前記携帯電話装置より受信した，少なくとも一人分以上のディジタル情報のうち，新規に入力された新規ディジタル情報のみをアドレス帳フォーマットに変換し，変換済みディジタル情報を一括印刷した様子を示す。
【００８９】
Ｓ９０３は，前記携帯電話装置において，前記入力入力手段によって新規に入力された，少なくとも一人分以上の「名前」「電話番号」「Ｅ−ｍａｉｌアドレス」のディジタル情報のみを，前記新規ディジタル情報印刷手段によって，一括印刷している様子を示す。
【００９０】
図１０は，前記携帯電話装置において，前記携帯電話装置が前記携帯プリンタ装置と前記接続手段によって有線または無線接続している間，前記記憶手段によって記憶した，少なくとも一人分以上の名前や電話番号，Ｅ−ｍａｉｌアドレス等のディジタル情報のうち，前記一括送信手段によって前記携帯プリンタ装置に送信（印刷）済みのディジタル情報に対してのみ，前記送信（印刷）フラグ付加手段によって，送信（印刷）済みであることを示すフラグを付加する際の，詳細アルゴリズムを示す。
【００９１】
図１０について，以下に説明する。
【００９２】
図１０において，ステップ＃１は，本アルゴリズムのスタート地点である。
【００９３】
ステップ＃２では，前記携帯電話装置の電源ＳＷ（Ｓ１１２）がＯＮであるか否かを検知する。「はい」であればステップ＃３へ，「いいえ」であればそのまま待機する。
【００９４】
ステップ＃３では，前記表示手段（Ｓ１１４）によってメニュー画面を表示する。
【００９５】
ステップ＃４では，印刷メニューが選択されたか否かを検知する。「はい」であればステップ＃５へ，「いいえ」であれば，ステップ＃１２へ進む。
【００９６】
ステップ＃１２では，その他のメニュー操作を行う。
【００９７】
ステップ＃５では，印刷（送信）指定可能なディジタル情報種類の一覧を表示する。
【００９８】
ステップ＃６では，ステップ＃５において表示された印刷を設定可能なディジタル情報種類の一覧より，特定のディジタル情報（ここでは，名前，電話番号，Ｅ−ｍａｉｌアドレス等から成る個人情報）が選択されたか否かを検知する。「はい」であればステップ＃７へ，「いいえ」であれば，ステップ＃８へ進む。
【００９９】
ステップ＃７では，ステップ＃６において選択されたディジタル情報を印刷対象ディジタル情報として記憶する。
【０１００】
ステップ＃８では，印刷をキャンセルするキャンセルが選択されたか否かを検知する。「はい」であればステップ＃１３へ，「いいえ」であればステップ＃６へ進む。
【０１０１】
ステップ＃９では，送信（印刷）ボタン（Ｓ１１３）が押下られたか否かを検知する。「はい」であればステップ＃１０へ，「いいえ」であればステップ＃６へ進む。
【０１０２】
ステップ＃１０では，ステップ＃７で記憶された印刷対象ディジタル情報を，前記接続手段（Ｓ１０４）によって有線または無線接続された前記携帯プリンタ装置（Ｓ３０２）へ，前記一括送信手段（Ｓ１０５）によって一括送信（印刷）する。
【０１０３】
ステップ＃１１では，ステップ＃１０において一括送信されたディジタル情報に対して，前記送信（印刷）フラグ付加手段によって，各ディジタル情報が送信（印刷）済みであることを示す送信（印刷）フラグを付加する。
【０１０４】
ステップ＃１３では，前記携帯電話装置の電源ＳＷ（Ｓ１１３）がＯＦＦであるか否かを検知する。「はい」であればステップ＃１４へ，「いいえ」であればステップ＃２へ進む。
【０１０５】
ステップ＃１４は，本アルゴリズムの終点である。
【０１０６】
前記携帯電話装置において，前記携帯電話装置の前記記憶手段（Ｓ１０３）によって記憶される前記新規ディジタル情報を含む前記ディジタル情報を，前記携帯電話装置の送信手段（Ｓ１０５）によって，前記接続手段（Ｓ１０４）によって接続される前記携帯プリンタ装置（Ｓ３０２）へ一括送信する詳細アルゴリズムは，第１実施例で示した図４と同様である。
【０１０７】
図１１は，前記携帯プリンタ装置において，前記携帯プリンタ装置が前記携帯電話装置と前記接続手段によって有線または無線接続している間，前記受信手段によって受信した，少なくとも一人分以上の名前や電話番号，Ｅ−ｍａｉｌアドレス等のディジタル情報のうち，前記送信（印刷）済み判断手段によって，送信（印刷）済みでない，つまり新規に入力されたディジタル情報であると判断される新規ディジタル情報のみを，前記フォーマットテーブル及び前記フォーマット決定手段及び前記フォーマット化手段によって，アドレス帳フォーマットに変換し，前記新規ディジタル情報印刷手段によって，前記新規ディジタル情報のみを一括印刷する際の，詳細アルゴリズムである。
【０１０８】
図１１について，以下に説明する。
【０１０９】
図１１において，ステップ＃１は，本アルゴリズムのスタート地点である。
ステップ＃２では，前記プリンタ装置（Ｓ３０２）の電源ＳＷ（Ｓ２１５）がＯＮであるか否かを検知する。「はい」であればステップ＃３へ，「いいえ」であればそのまま待機する。
【０１１０】
ステップ＃３では，前記接続手段（Ｓ２０３）によって有線または無線接続された前記携帯電話装置（Ｓ３０１）より，前記受信手段（Ｓ２０４）によってディジタル情報を受信したか否かを検知する。「はい」であればステップ＃４へ，「いいえ」であればそのまま待機する。
【０１１１】
ステップ＃４では，ステップ＃３において受信したディジタル情報を前記記憶手段（Ｓ２０２）において記憶する。
【０１１２】
ステップ＃５は，ステップ＃４において記憶したディジタル情報について，送信（印刷）済み，つまり新規ディジタル情報であるか否かを判断するためのループの始端である。
【０１１３】
ステップ＃６では，ステップ＃４において記憶したディジタル情報のうち，一人分のディジタル情報を判断対象ディジタル情報として前記記憶手段（Ｓ２０２）によって記憶する。
【０１１４】
ステップ＃７では，ステップ＃６において記憶した一人分のディジタル情報が，送信（印刷）済みでないディジタル情報，つまり新規ディジタル情報であるか否かを判断する。「はい」であれば，ステップ＃８へ，「いいえ」であればステップ＃９へ進む。
【０１１５】
ステップ＃８では，ステップ＃６において記憶された一人分のディジタル情報を送信（印刷）済みでないディジタル情報，つまり新規ディジタル情報として前記記憶手段（Ｓ２０２）によって記憶する。
【０１１６】
ステップ＃９は，ステップ＃４において記憶したディジタル情報について，印刷済みディジタル情報であるか，つまり新規ディジタル情報であるか否かを判断するためのループの終端である。
【０１１７】
ステップ＃１０では，前記フォーマット決定手段（Ｓ２１０）によって，ステップ＃８において記憶される新規ディジタル情報に対応する特定フォーマットが，前記フォーマットテーブル（Ｓ２０９）に含まれるか否かを判断する。「はい」であればステップ＃１１へ，「いいえ」であれば，ステップ＃１４へ進む。
【０１１８】
ステップ＃１１では，前記ディジタル情報フォーマット決定手段（Ｓ２１０）によって，ステップ＃８において記憶される新規ディジタル情報に対応した特定のフォーマット，（ここではアドレス帳フォーマットとする）を決定する。
【０１１９】
ステップ＃１２では，ステップ＃６において記憶された新規ディジタル情報を，前記ディジタル情報フォーマット化手段（Ｓ２１０）よって，ステップ＃１１において決定されたアドレス帳フォーマットに変換する（ｃｆ．図１３）。
【０１２０】
ステップ＃１３では，ステップ＃１２において変換されたフォーマット済みディジタル情報を前記記憶手段（Ｓ２０２）によって記憶する。
【０１２１】
ステップ＃１４では，プリント制御手段（Ｓ２０６）を介してプリント手段（Ｓ２０５）を駆動し，予備吐出，目詰まり解消，ノズルの回復等を行う。
【０１２２】
ステップ＃１５では，ステップ＃１３において記憶された新規ディジタル情報，または新規かつフォーマット済みディジタル情報を，前記更新ディジタル情報一括印刷手段（Ｓ２１３）によって一括印刷する。
【０１２３】
ステップ＃１６では，印刷済み記録紙が記録紙排出口より排出される。
【０１２４】
ステップ＃１７は，本アルゴリズムの終点である。
【０１２５】
（第３実施例）
本発明の第３実施例として，名前や電話番号，Ｅ−ｍａｉｌアドレス等の文字データを入力する入力手段と，携帯プリンタ装置と有線または無線接続する手段と，ディジタル情報を記憶する手段と，携帯プリンタ装置へ通信回線を介してディジタル情報を送信する送信手段と，該ディジタル情報を記憶する記憶手段とを有する携帯電話装置と，前記携帯電話装置と有線または無線接続する手段と，該携帯電話装置から通信回線を介してディジタル情報を受信する受信手段と，前記ディジタル情報を記録紙に視認可能に印刷するプリンタ手段を有する携帯プリンタ装置において，前記携帯電話装置と前記接続手段（Ｓ１０４）によって前記携帯プリンタ装置を有線または無線接続している間，前記携帯電話装置の記憶手段（Ｓ１０３）によって記憶されるディジタル情報のうち，前記携帯電話装置において，編集が加えられた，つまり更新された少なくとも一人分以上の，名前や電話番号，Ｅ−ｍａｉｌアドレス等のディジタル情報に対して（ｃｆ．図１２），前記携帯電話装置の編集フラグ付加手段（Ｓ１０７）によって，更新ディジタル情報であるか否かを示すフラグを付加し，前記携帯電話装置の前記記憶手段（Ｓ１０３）によって記憶される前記ディジタル情報を，前記携帯電話装置の送信手段（Ｓ１０５）によって通信回線を介して前記携帯プリンタ装置へ一括送信し，前記携帯プリンタ装置において，前記携帯プリンタ装置の受信手段（Ｓ２０４）によって受信した前記ディジタル情報のうち，前記携帯プリンタ装置の編集済み判断手段（Ｓ２１２）によって，編集フラグが付加されている，つまり更新ディジタル情報のみを，前記携帯プリンタ装置の記憶手段（Ｓ２０２）によって記憶し，前記携帯プリンタ装置のフォーマットテーブル（Ｓ２０９）及びフォーマット決定手段（Ｓ２１０）によって，前記ディジタル情報の種類に対応する特定のフォーマット（ここではアドレス帳フォーマット）を決定し，前記携帯プリンタ装置のディジタル情報フォーマット化手段（Ｓ２０８）によって，前記更新済ディジタル情報のみを，前記フォーマット決定手段（Ｓ２１０）によって定められたアドレス帳フォーマットに変換し（ｃｆ．図１３），前記携帯プリンタ装置の更新ディジタル情報印刷手段（Ｓ２１４）によって前記更新ディジタル情報，または更新かつフォーマット済みディジタル情報を一括印刷する例を挙げる。
【０１２６】
ただし，前記携帯電話装置に記憶されるディジタル情報のうち，前記入力手段（Ｓ１０２）によって編集が加えられた更新ディジタル情報に対しては，予め前記編集フラグ付加手段（Ｓ１０７）によって編集フラグが付加されているものとする。
【０１２７】
前記携帯電話装置は，Ｓ１０１〜Ｓ１０５，Ｓ１０７，Ｓ１０９，Ｓ１１１〜Ｓ１１４の内容を適用し，前記携帯プリンタ装置は，Ｓ２０１〜Ｓ２０６，Ｓ２０８〜Ｓ２１０，Ｓ２１２，Ｓ２１４〜Ｓ２１６の内容を適用していることを特徴とする。
【０１２８】
以下にその概要について，図面を用いて説明する。
【０１２９】
本発明を適用した第３実施例を実施する形態を示す構成図は，第１実施例に示した図３と同様である。
【０１３０】
図１２は，前記携帯電話装置において，前記接続手段によって前記携帯プリンタ装置と有線または無縁接続している間，前記記憶手段によって記憶された少なくとも一人分以上の名前や電話番号，Ｅ−ｍａｉｌアドレス等のディジタル情報に編集が加えられた様子を示す。ただし，予め前記記憶手段によって記憶されている編集前のディジタル情報は，前記一括送信手段によって送信（印刷）済みであるものとする。
【０１３１】
図１２について，以下に説明する。
【０１３２】
Ｓ１２０１は，本発明を適用した携帯電話装置を示す。
【０１３３】
Ｓ１２０２は，ディジタル情報を表示する表示画面を示す。
【０１３４】
Ｓ１２０３は，表示画面（Ｓ１２０２）を拡大した様子を示す。
【０１３５】
Ｓ１２０４は，前記携帯電話装置（Ｓ３０１）に記憶されるディジタル情報の一例である，「名前」を表示している様子を示す。
【０１３６】
Ｓ１２０５は，前記携帯電話装置（Ｓ３０１）に記憶されるディジタル情報の一例である，「電話番号」を表示している様子を示す。
【０１３７】
Ｓ１２０６は，前記携帯電話装置（Ｓ３０１）に記憶されるディジタル情報の一例である，「Ｅ−ｍａｉｌアドレス」を表示している様子を示す。
【０１３８】
Ｓ１２０７は，少なくとも一人分以上の名前，電話番号及びＥ−ｍａｉｌアドレス情報（Ｓ１２０４−Ｓ１２０６）を記憶していることを示す。
【０１３９】
Ｓ１２０８は，前記携帯電話装置の前記記憶手段によって記憶される，前記ディジタル情報を表示している様子を示す。ただし，前記ディジタル情報は，前記送信手段（Ｓ１０５）によって前記携帯プリンタ装置（Ｓ３０２）へ送信，かつ前記携帯プリンタ装置において一括印刷手段（Ｓ２０７）によって印刷済みであるものとする。
【０１４０】
Ｓ１２０９は，前記携帯電話装置の前記記憶手段（Ｓ１０３）によって記憶される前記ディジタル情報に，編集が加えられた更新済みディジタル情報を表示している様子を示す。
【０１４１】
Ｓ１２１０は，前記ディジタル情報のうち，更新済みディジタル情報であることを示す。
【０１４２】
Ｓ１２１１は，前記ディジタル情報が更新済みディジタル情報であることを示すマークを表示している様子を示す（このとき，前記ディジタル情報には，編集済みを示す編集フラグが付加されているものとする。）。
【０１４３】
図１３は，前記携帯プリンタ装置において，前記接続手段によって前記携帯電話装置と有線または無線接続している間，前記受信手段によって前記携帯電話装置から受信した名前や電話番号，Ｅ−ｍａｉｌアドレス等のディジタル情報のうち，更新ディジタル情報のみを一般的なアドレス帳に見られるようなアドレス帳フォーマットに変換し，一括印刷した様子を示す。
【０１４４】
Ｓ１３０１は，本発明を適用した携帯プリンタ装置において排出された記録紙を示す。
【０１４５】
Ｓ１３０２は，前記携帯電話装置より受信した少なくとも一人分以上のディジタル情報のうち，編集が加えられた更新ディジタル情報のみをアドレス帳フォーマットに変換し，フォーマットに変換済みディジタル情報を一括印刷した様子を示す。
【０１４６】
Ｓ１３０３は，「名前」，「電話番号」，「Ｅ−ｍａｉｌアドレス」等のディジタル情報のうち，少なくとも１つ以上に編集が加えられた様子を示す。
【０１４７】
Ｓ１３０４は，「名前」，「電話番号」，「Ｅ−ｍａｉｌアドレス」等のディジタル情報のうち，少なくとも１つ以上に編集が加えられたディジタル情報のみを一括印刷している様子を示す。
【０１４８】
図１４は，前記携帯電話装置において，前記接続手段によって前記携帯電話装置と有線または無線接続している間，前記記憶手段によって記憶した，少なくとも一人分以上の名前や電話番号，Ｅ−ｍａｉｌアドレス等のディジタル情報のうち，新たに編集が加えられた更新ディジタル情報に対して，前記編集フラグ付加手段（Ｓ２１２）によって，編集済みであることを示すフラグを付加する際の，詳細アルゴリズムを示す。
【０１４９】
図１４について，以下に説明する。
【０１５０】
図１４において，ステップ＃１は，本アルゴリズムのスタート地点である。
【０１５１】
ステップ＃２では，前記携帯電話装置の電源ＳＷ（Ｓ１１２）がＯＮであるか否かを検知する。「はい」であればステップ＃３へ，「いいえ」であればそのまま待機する。
【０１５２】
ステップ＃３では，表示手段（Ｓ１１４）によってメニュー画面を表示する。
【０１５３】
ステップ＃４では，編集メニューが選択されたか否かを検知する。「はい」であればステップ＃５へ，「いいえ」であれば，ステップ＃１２へ進む。
【０１５４】
ステップ＃１２では，その他のメニュー操作を行う。
【０１５５】
ステップ＃５では，編集可能なディジタル情報種類の一覧を表示する。
【０１５６】
ステップ＃６では，ステップ＃５において表示された編集可能なディジタル情報種類の一覧より，特定のディジタル情報（ここでは，名前，電話番号，Ｅ−ｍａｉｌアドレスから成る個人情報）が選択されたか否かを検知する。「はい」であればステップ＃７へ，「いいえ」であれば，ステップ＃８へ進む。
【０１５７】
ステップ＃７では，ステップ＃６において選択された編集対象ディジタル情報を記憶する。
【０１５８】
ステップ＃８では，編集をキャンセルするキャンセルが選択されたか否かを検知する。「はい」であればステップ＃１３へ，「いいえ」であればステップ＃６へ進む。
【０１５９】
ステップ＃９では，前記入力手段（Ｓ１０２）によって，ステップ＃７において記憶された編集対象のディジタル情報に対して編集を加える。
【０１６０】
ステップ＃１０では，ステップ＃９において編集された更新ディジタル情報を前記記憶手段（Ｓ１０３）によって記憶する。
【０１６１】
ステップ＃１１では，ステップ＃１０で記憶された更新ディジタル情報対して，前記編集フラグ付加手段（Ｓ１０７）によって，前記更新ディジタル情報が編集済みであることを示す編集フラグを付加する。
【０１６２】
ステップ＃１３では，前記携帯電話の電源ＳＷ（Ｓ）がＯＦＦであるか否かを検知する。「はい」であればステップ＃１４へ，「いいえ」であればステップ＃２へ進む。
【０１６３】
ステップ＃１４は，本アルゴリズムの終点である。
【０１６４】
前記携帯電話装置において，前記携帯電話装置の前記記憶手段（Ｓ１０３）によって記憶される前記更新ディジタル情報を含む前記ディジタル情報を，前記携帯電話装置の送信手段（Ｓ１０５）によって，前記接続手段（Ｓ１０４）によって接続される前記携帯プリンタ装置（Ｓ３０２）へ一括送信する詳細アルゴリズムは，第１実施例で示した図４と同様である。
【０１６５】
図１５は，前記携帯プリンタ装置において，該携帯プリンタ装置が前記携帯電話と前記接続手段によって有線または無線接続している間，前記受信手段によって受信した少なくとも一人分以上の名前や電話番号，Ｅ−ｍａｉｌアドレス等のディジタル情報のうち，前記編集済み判断手段によって，編集されたディジタル情報であると判断される更新ディジタル情報のみを，前記フォーマットテーブル及び前記フォーマット決定手段及び前記フォーマット化手段（Ｓ２０８）によって，アドレス帳フォーマットに変換し，前記更新ディジタル情報一括印刷手段（Ｓ２１４）によって，前記更新ディジタル情報のみを一括印刷する際の，詳細アルゴリズムである。
【０１６６】
図１５について，以下に説明する。
【０１６７】
図１５において，ステップ＃１は，本アルゴリズムのスタート地点である。
【０１６８】
ステップ＃２では，前記プリンタの電源ＳＷ（Ｓ２１５）がＯＮであるか否かを検知する。「はい」であればステップ＃３へ，「いいえ」であればそのまま待機する。
【０１６９】
ステップ＃３では，前記接続手段（Ｓ２０３）によって有線または無線接続された前記携帯電話装置（Ｓ３０１）より，前記送受信手段（Ｓ２０４）によってディジタル情報を受信したか否かを検知する。「はい」であればステップ＃４へ，「いいえ」であればそのまま待機する。
【０１７０】
ステップ＃４では，ステップ＃３において受信したディジタル情報を前記記憶手段（Ｓ２０２）において記憶する。
【０１７１】
ステップ＃５は，ステップ＃４において記憶したディジタル情報について，更新ディジタル情報であるか否かを判断するためのループの始端である。
【０１７２】
ステップ＃６では，ステップ＃４において記憶したディジタル情報のうち，一人分のディジタル情報を判断対象ディジタル情報として前記記憶手段（Ｓ２０２）によって記憶する。
【０１７３】
ステップ＃７では，ステップ＃６において記憶した判断対象ディジタル情報に，少なくとも１つ以上の編集済みのディジタル情報が含まれるか否かを判断する。「はい」であれば，ステップ＃８へ，「いいえ」であればステップ＃９へ進む。
【０１７４】
ステップ＃８では，ステップ＃６において記憶された一人分のディジタル情報を更新ディジタル情報として，前記記憶手段（Ｓ２０２）によって記憶する。
【０１７５】
ステップ＃９は，ステップ＃４において記憶したディジタル情報について，更新ディジタル情報であるか否かを判断するためのループの終端である。
【０１７６】
ステップ＃１０では，前記フォーマット決定手段（Ｓ２１０）によって，ステップ＃８において記憶される更新ディジタル情報に対応するフォーマットが前記フォーマットテーブル（Ｓ２０９）に含まれるか否かを判断する。「はい」であればステップ＃１１へ，「いいえ」であれば，ステップ＃１４へ進む。
【０１７７】
ステップ＃１１では，前記ディジタル情報フォーマット決定手段（Ｓ２１０）によって，ステップ＃８において記憶される更新ディジタル情報に対応した特定のフォーマット，（ここではアドレス帳フォーマットとする）を決定する。
ステップ＃１２では，ステップ＃６において記憶された更新ディジタル情報を，ステップ＃１１において決定されたアドレス帳フォーマットに変換する（ｃｆ．図１３）。
【０１７８】
ステップ＃１３では，ステップ＃１０において変換されたフォーマット済みディジタル情報を前記記憶手段（Ｓ２０２）によって記憶する。
【０１７９】
ステップ＃１４では，プリント制御手段（Ｓ２０６）を介してプリント手段（Ｓ２０５）を駆動し，予備吐出，目詰まり解消，ノズルの回復等を行う。
【０１８０】
ステップ＃１５では，ステップ＃１３において記憶された更新ディジタル情報，または編集済みかつフォーマット済みディジタル情報を，前記更新ディジタル情報印刷手段（Ｓ２１３）によって一括印刷する。
【０１８１】
ステップ＃１６では，印刷済み記録紙が記録紙排出口より排出される。
【０１８２】
ステップ＃１７は，本アルゴリズムの終点である。
【０１８３】
（第４実施例）
本発明の第４実施例として，名前や電話番号，Ｅ−ｍａｉｌアドレス等の文字データを入力する入力手段と，携帯プリンタ装置と有線または無線接続する手段と，ディジタル情報を記憶する手段と，携帯プリンタ装置へ通信回線を介してディジタル情報を送信する送信手段と，該ディジタル情報を記憶する記憶手段とを有する携帯電話装置と，前記携帯電話装置と有線または無線接続する手段と，該携帯電話装置から通信回線を介してディジタル情報を受信する受信手段と，前記ディジタル情報を記録紙に視認可能に印刷するプリンタ手段を有する携帯プリンタ装置において，前記携帯電話装置の接続手段（Ｓ１０４）によって，前記携帯プリンタ装置（Ｓ３０２）と有線または無線接続している間，前記携帯電話装置の記憶手段（Ｓ１０３）によって記憶されるディジタル情報のうち，前記携帯電話装置の前記送信（印刷）済み判断手段（Ｓ１０８）によって，送信（印刷）済みでない，つまり前記入力手段（Ｓ１０２）によって新規に入力されたディジタル情報であると判断される新規ディジタル情報のみを，前記新規ディジタル情報送信手段（Ｓ１１０）によって，前記携帯プリンタ装置（Ｓ３０２）に一括送信し，前記携帯プリンタ装置の受信手段（Ｓ２０４）によって受信した新規ディジタル情報を，前記携帯プリンタ装置のフォーマットテーブル（Ｓ２０９）及びフォーマット決定手段（Ｓ２１０）によって，前記ディジタル情報の種別に応じたフォーマットを決定し，前記携帯プリンタ装置のディジタル情報フォーマット化手段（Ｓ２０８）によって，前記ディジタル情報を前記フォーマット決定手段（Ｓ２１０）によって定まった特定フォーマット（ここでは，アドレス帳フォーマット）に変換し，前記携帯プリンタ装置の一括印刷手段（Ｓ２０７）によって新規ディジタル情報または，新規かつフォーマット済みディジタル情報を一括印刷する例を挙げる。
【０１８４】
ただし，前記携帯電話装置に記憶されるディジタル情報のうち，前記一括送信手段（Ｓ１０５）によって送信（印刷）済みでない新規ディジタル情報に対しては，予め前記送信（印刷）フラグ付加手段（Ｓ１０６）によって送信（印刷）フラグが付加されていないものとする。
【０１８５】
前記携帯電話装置は，Ｓ１０１〜Ｓ１０６，Ｓ１０８，Ｓ１１０，Ｓ１１２〜Ｓ１１４の内容を適用し，前記携帯プリンタ装置は，Ｓ２０１〜Ｓ２０７，Ｓ２０８〜Ｓ２１０，Ｓ２１２，Ｓ２１５〜Ｓ２１６の内容を適用していることを特徴とする。
【０１８６】
以下にその概要について，図面を用いて説明する。
【０１８７】
本発明を適用した第４実施例を実施する形態を示す構成図は，第１実施例に示した図３と同様である。
【０１８８】
図１６は，前記携帯電話装置において，前記接続手段によって前記携帯プリンタ装置（Ｓ３０２）と有線または無線接続している間，前記記憶手段によって記憶した少なくとも一人分以上の名前や電話番号，Ｅ−ｍａｉｌアドレス等のディジタル情報のうち，前記送信（印刷）済み判断手段及び前記新規ディジタル情報送信手段によって，新規ディジタル情報のみを前記携帯プリンタ装置（Ｓ３０２）に対して送信（印刷）する際の，詳細アルゴリズムである。
【０１８９】
ただし，予め前記送信（印刷）済み判断手段において参照する前記送信（印刷）フラグは，前記送信（印刷）フラグ付加手段によって付加されているものとする（ｃｆ．第２実施例）。
【０１９０】
図１６について，以下に説明する。
【０１９１】
図１６において，ステップ＃１は，本アルゴリズムのスタート地点である。
ステップ＃２では，前記携帯電話装置の電源ＳＷ（Ｓ１１２）がＯＮであるか否かを検知する。「はい」であればステップ＃３へ，「いいえ」であればそのまま待機する。
【０１９２】
ステップ＃３では，表示手段（Ｓ１１４）によってメニュー画面を表示する。
【０１９３】
ステップ＃４では，印刷メニューが選択されたか否かを検知する。「はい」であればステップ＃５へ，「いいえ」であればステップ＃１２へ進む。
【０１９４】
ステップ＃１２では，その他のメニュー操作を行う。
【０１９５】
ステップ＃５では，印刷（送信）指定可能なディジタル情報種類の一覧を表示する。
【０１９６】
ステップ＃６では，ステップ＃５において表示された印刷設定可能なディジタル情報種類の一覧より，特定のディジタル情報（この場合，「名前」，「電話番号」，「Ｅ−ｍａｉｌアドレス」から成る個人情報）が選択されたか否かを検知する。「はい」であればステップ＃７へ，「いいえ」であれば，ステップ＃８へ進む。
【０１９７】
ステップ＃７では，ステップ＃６において選択されたディジタル情報を，印刷（送信）対象ディジタル情報として前記記憶手段（Ｓ１０３）によって記憶する。
【０１９８】
ステップ＃８では，送信（印刷）をキャンセルするキャンセルが選択されたか否かを検知する。「はい」であればステップ＃１７へ，「いいえ」であればステップ＃６へ進む。
【０１９９】
ステップ＃９では，送信（印刷）ボタン（Ｓ１１３）が押下られたか否かを検知する。「はい」であればステップ＃１０へ，「いいえ」であればステップ＃６へ進む。
【０２００】
ステップ＃１０は，ステップ＃７において記憶した印刷対象ディジタル情報について，印刷済み，つまり新規ディジタル情報であるか否かを判断するためのループの始端である。
【０２０１】
ステップ＃１１では，ステップ＃７において記憶したディジタル情報のうち，一人分のディジタル情報を判断対象ディジタル情報として前記記憶手段（Ｓ１０３）によって記憶する。
【０２０２】
ステップ＃１３では，前記送信（印刷）済み判断手段（Ｓ１０８）によって，ステップ＃８において記憶した判断対象ディジタル情報が印刷済みでないディジタル情報，つまり新規ディジタル情報であるか否かを判断する。「はい」であればステップ＃１４へ，「いいえ」であればステップ＃１５へ進む。
【０２０３】
ステップ＃１４では，ステップ＃１１において記憶された一人分のディジタル情報を送信（印刷）済みでないディジタル情報，つまり新規ディジタル情報として，前記記憶手段（Ｓ１０３）によって記憶する。
【０２０４】
ステップ＃１５は，ステップ＃７において記憶した印刷対象ディジタル情報について，印刷済みディジタル情報であるか，つまり新規ディジタル情報であるか否かを判断するためのループの終端である。
【０２０５】
ステップ＃１７では，ステップ＃１４で記憶された新規ディジタル情報を，前記接続手段（Ｓ１０４）によって有線または無線接続された携帯プリンタ装置（Ｓ３０２）へ，前記新規ディジタル情報送信手段（Ｓ１１０）によって一括送信（印刷）する。
【０２０６】
ステップ＃１６では，前記携帯電話の電源ＳＷ（Ｓ１１２）がＯＦＦであるか否かを検知する。「はい」であればステップ＃１７へ，「いいえ」であればステップ＃２へ進む。
【０２０７】
ステップ＃１８は，本アルゴリズムの終点である。
【０２０８】
前記携帯プリンタ装置において，前記接続手段（Ｓ２０３）によって前記携帯電話装置と有線または無線接続している間，前記受信手段（Ｓ２０４）によって受信した新規ディジタル情報を，前記一括印刷手段（Ｓ２０７）によって一括印刷する詳細アルゴリズムは，図５と同様である。
【０２０９】
（第５実施例）
本発明の第５実施例として，名前や電話番号，Ｅ−ｍａｉｌアドレス等の文字データを入力する入力手段と，携帯プリンタ装置と有線または無線接続する手段と，ディジタル情報を記憶する手段と，携帯プリンタ装置へ通信回線を介してディジタル情報を送信する送信手段と，該ディジタル情報を記憶する記憶手段とを有する携帯電話装置と，前記携帯電話装置と有線または無線接続する手段と，該携帯電話装置から通信回線を介してディジタル情報を受信する受信手段と，前記ディジタル情報を記録紙に視認可能に印刷するプリンタ手段を有する携帯プリンタ装置において，前記携帯電話装置の接続手段（Ｓ１０４）によって前記携帯プリンタ装置（Ｓ３０２）と有線または無線接続している間，前記携帯電話装置の記憶手段（Ｓ１０３）によって記憶されるディジタル情報のうち，前記携帯電話装置の前記編集済み判断手段（Ｓ１０９）によって，編集が加えられたディジタル情報であると判断される更新ディジタル情報のみを，前記更新ディジタル情報送信手段（Ｓ１１１）によって，前記携帯プリンタ装置（Ｓ３０２）に一括送信し，前記携帯プリンタ装置の受信手段（Ｓ２０４）によって受信した更新ディジタル情報を，前記携帯プリンタ装置のフォーマットテーブル（Ｓ２０９）及びフォーマット決定手段（Ｓ２１０）によって，前記ディジタル情報の種類に対応した特定フォーマットを決定し，前記携帯プリンタ装置のディジタル情報フォーマット化手段（Ｓ２０８）によって，更新ディジタル情報を前記フォーマット決定手段によって定められた特定フォーマット（ここでは，アドレス帳フォーマット）に変換し，前記携帯プリンタ装置の一括印刷手段（Ｓ２０７）によって前記更新ディジタル情報または，更新かつフォーマット済みディジタル情報を一括印刷する例を挙げる。
【０２１０】
ただし，前記携帯電話装置に記憶されるディジタル情報のうち，前記入力手段（Ｓ１０２）によって編集済みである更新ディジタル情報に対しては，予め前記編集フラグ付加手段（Ｓ１０７）によって編集フラグが付加されているものとする。
【０２１１】
前記携帯電話装置は，Ｓ１０１〜Ｓ１０５，Ｓ１０７，Ｓ１０９，Ｓ１１１〜Ｓ１１４の内容を適用し，前記携帯プリンタ装置は，Ｓ２０１〜Ｓ２０７，Ｓ２０８〜Ｓ２１０，Ｓ２１２，Ｓ２１５〜Ｓ２１６の内容を適用していることを特徴とする。
【０２１２】
以下にその概要について，図面を用いて説明する。
【０２１３】
本発明を適用した第５実施例を実施する形態を示す構成図は，第１実施例に示した図３と同様である。
【０２１４】
図１７は，前記携帯電話装置において，前記接続手段によって前記携帯プリンタ装置と前記接続手段によって有線または無線接続している間，前記記憶手段によって記憶した，少なくとも一人分以上の名前や電話番号，Ｅ−ｍａｉｌアドレス等のディジタル情報のうち，前記編集判断手段及び前記更新ディジタル情報送信手段によって，更新ディジタル情報のみを前記携帯プリンタ装置に対して一括送信する際の，詳細アルゴリズムである。
【０２１５】
ここで，前記編集済み判断手段において参照する編集フラグは，前記編集フラグ付加手段によって付加されているものとする（ｃｆ．第３実施例）。
【０２１６】
図１７について，以下に説明する。
【０２１７】
図１７において，ステップ＃１は，本アルゴリズムのスタート地点である。
ステップ＃２では，前記携帯電話装置の電源ＳＷ（Ｓ１１２）がＯＮであるか否かを検知する。「はい」であればステップ＃３へ，「いいえ」であればそのまま待機する。
【０２１８】
ステップ＃３では，表示手段（Ｓ１１４）によってメニュー画面を表示する。
【０２１９】
ステップ＃４では，印刷メニューが選択されたか否かを検知する。「はい」であればステップ＃５へ，「いいえ」であれば，ステップ＃１２へ進む。
【０２２０】
ステップ＃１２では，その他のメニュー操作を行う。
【０２２１】
ステップ＃５では，送信（印刷）可能なディジタル情報種類の一覧を表示する。
【０２２２】
ステップ＃６では，ステップ＃５において表示された送信（印刷）可能なディジタル情報種類の一覧より，特定のディジタル情報（この場合，「名前」，「電話番号」，「Ｅ−ｍａｉｌアドレス」から成る個人情報）が選択されたか否かを検知する。「はい」であればステップ＃７へ，「いいえ」であれば，ステップ＃８へ進む。
【０２２３】
ステップ＃７では，ステップ＃６において選択されたディジタル情報を，印刷（送信）対象ディジタル情報として前記記憶手段（Ｓ１０３）によって記憶する。
【０２２４】
ステップ＃８では，送信（印刷）をキャンセルするキャンセルが選択されたか否かを検知する。「はい」であればステップ＃１７へ，「いいえ」であればステップ＃６へ進む。
【０２２５】
ステップ＃９では，送信（印刷）ボタン（Ｓ１１３）が押下られたか否かを検知する。「はい」であればステップ＃１０へ，「いいえ」であればステップ＃６へ進む。
【０２２６】
ステップ＃１０は，ステップ＃７において記憶した印刷対象ディジタル情報について，編集済み，つまり更新ディジタル情報であるか否かを判断するためのループの始端である。
【０２２７】
ステップ＃１１では，ステップ＃７において記憶したディジタル情報のうち，一人分のディジタル情報を判断対象ディジタル情報として前記記憶手段（Ｓ１０３）によって記憶する。
【０２２８】
ステップ＃１３では，前記編集済み判断手段（Ｓ１０９）によって，ステップ＃１１において記憶した一人分のディジタル情報が更新ディジタル情報であるか否かを判断する。「はい」であれば，ステップ＃１４へ，「いいえ」であればステップ＃１５へ進む。
【０２２９】
ステップ＃１４では，ステップ＃１１において記憶された一人分のディジタル情報を編集済み情報として，前記記憶手段（Ｓ１０３）によって記憶する。
【０２３０】
ステップ＃１５は，ステップ＃７において記憶した印刷対象ディジタル情報について，更新ディジタル情報であるか否かを判断するためのループの終端である。
【０２３１】
ステップ＃１６では，ステップ＃１４で記憶された更新ディジタル情報を，前記接続手段（Ｓ１０４）によって有線または無線接続された携帯プリンタ装置（Ｓ３０２）へ，前記更新ディジタル情報送信手段（Ｓ１１１）によって一括送信（印刷）する。
【０２３２】
ステップ＃１７では，前記携帯電話装置の電源ＳＷ（Ｓ１１２）がＯＦＦであるか否かを検知する。「はい」であればステップ＃１８へ，「いいえ」であればステップ＃２へ進む。
【０２３３】
ステップ＃１８は，本アルゴリズムの終点である。
【０２３４】
前記携帯プリンタ装置において，前記接続手段（Ｓ２０３）によって前記携帯電話装置と有線または無線接続している間，前記受信手段（Ｓ２０４）によって受信した更新ディジタル情報を，前記一括印刷手段（Ｓ２０７）によって一括印刷する詳細アルゴリズムは，図５と同様である。
【０２３５】
【発明の効果】
このように，本発明によれば，携帯電話装置に記憶されたディジタル情報を一括印刷出力することによって，貴重なディジタル情報のバックアップを行い，しかも，それらのディジタル情報を携帯電話装置以外の他装置，例えば固定電話機などにおいて活用したいという要求を満たすという効果が得られる。
【図面の簡単な説明】
【図１】本発明の実施の形態における，携帯電話装置の詳細な構成を示すブロック図。
【図２】本発明の実施の形態における携帯プリンタ装置の詳細な構成を示すブロック図。
【図３】本発明を適用した第１実施例を実施する形態を示す構成図。
【図４】本発明を適用した携帯電話装置において，携帯電話装置に記憶されたディジタル情報を携帯プリンタ装置に一括送信する際の詳細アルゴリズム。
【図５】本発明を適用した携帯プリンタ装置において，携帯電話装置から受信したディジタル情報を一括印刷する際の詳細アルゴリズムである。
【図６】本発明を適用した携帯電話装置において，記憶されるディジタル情報を表示している様子を示す。
【図７】本発明を適用した携帯プリンタ装置において，携帯電話装置から受信したディジタル情報をアドレス帳フォーマットに変換し一括印刷した様子。
【図８】本発明を適用した携帯電話装置において，新規ディジタル情報が入力された様子。
【図９】本発明を適用した携帯プリンタ装置において，携帯電話装置から受信したディジタル情報のうち，新規ディジタル情報のみを一般的なアドレス帳に見られるようなアドレス帳フォーマットに変換し，一括印刷した様子。
【図１０】本発明を適用した携帯電話装置において，すでに携帯プリンタ装置に送信（印刷）済みのディジタル情報に対して，印刷済みであることを示すフラグを付加する際の詳細アルゴリズム。
【図１１】本発明を適用した携帯プリンタ装置において，本発明を適用した携帯電話装置より受信したディジタル情報のうち，新規ディジタル情報のみを，アドレス帳フォーマットに変換し，一括印刷する際の詳細アルゴリズム。
【図１２】本発明を適用した携帯電話装置において，記憶されるディジタル情報に，編集が加えられた様子。
【図１３】本発明を適用した携帯プリンタ装置において，本発明を適用した携帯電話装置より受信したディジタル情報のうち，更新ディジタル情報のみをアドレス帳フォーマットに変換し，一括印刷する際の詳細アルゴリズム。
【図１４】本発明を適用した携帯電話装置において，記憶されたディジタル情報のうち，編集済みのディジタル情報に対して，編集済みであることを示すフラグを付加する際の，詳細アルゴリズムを示す。
【図１５】本発明を適用した携帯プリンタ装置において，本発明を適用した携帯電話装置から受信したディジタル情報のうち，更新ディジタル情報のみを，アドレス帳フォーマットに変換し，一括印刷する際の詳細アルゴリズム。
【図１６】本発明を適用した携帯プリンタ装置において，記憶されるディジタル情報のうち，新規ディジタル情報のみを携帯電話装置に一括送信する際の詳細アルゴリズム。
【図１７】本発明を適用した携帯プリンタ装置において，記憶されるディジタル情報のうち，更新ディジタル情報のみを携帯電話装置に一括送信する際の詳細アルゴリズム。
【図１】
2004193870.tif 000003
【図２】
2004193870.tif 000004
【図３】
2004193870.tif 000005
【図４】
2004193870.tif 000006
【図５】
2004193870.tif 000007
【図６】
2004193870.tif 000008
【図７】
2004193870.tif 000009
【図８】
2004193870.tif 000010
【図９】
2004193870.tif 000011
【図１０】
2004193870.tif 000012
【図１１】
2004193870.tif 000013
【図１２】
2004193870.tif 000014
【図１３】
2004193870.tif 000015
【図１４】
2004193870.tif 000016
【図１５】
2004193870.tif 000017
【図１６】
2004193870.tif 000018
【図１７】
2004193870.tif 000019